(57)【特許請求の範囲】
【請求項１】
フィルム状回路に接続対象導体を接続する接続構造であって、
導電パターンおよび電極パッドを導電性インクで表面上に形成したフィルム状回路と、
前記フィルム状回路よりシート抵抗率が低い導電面を有する可撓性シート部材と、
導電プレートと、
接続対象導体が接続される基部および接触端子部を有する対象導体接続具と、
圧着手段とを備え、
前記フィルム状回路は、前記電極パッドの部分に形成された開口を有し、当該電極パッドにおいて前記可撓性シート部材と面接続されるとともに、
前記フィルム状回路の開口を介して前記導電プレートが前記可撓性シート部材の導電面に面接続されたものに対して、前記導電プレートの背面から前記対象導体接続具の接触端子部が重ねられ、前記可撓性シート部材、前記導電プレートおよび前記対象導体接続具が相互に前記圧着手段により圧着されたことを特徴とする
接続構造。
【請求項２】
フィルム状回路に接続対象導体を接続する接続構造であって、
導電パターンおよび電極パッドを導電性インクで表面上に形成したフィルム状回路と、
前記フィルム状回路よりシート抵抗率が低い導電面を有する可撓性シート部材と、
接続対象導体が接続される基部および接触端子部を有する対象導体接続具と、
圧着手段とを備え、
前記フィルム状回路は、前記電極パッドの部分に形成された開口を有し、当該電極パッドにおいて前記可撓性シート部材と面接続されるとともに、
前記フィルム状回路の開口を介して前記対象導体接続具の接触端子部が前記可撓性シート部材の導電面に面接続され、前記可撓性シート部材と前記対象導体接続具とが相互に前記圧着手段により圧着されたことを特徴とする
接続構造。
【請求項３】
フィルム状回路に接続対象導体を接続する接続構造であって、
導電パターンおよび電極パッドを導電性インクで表面上に形成したフィルム状回路と、
前記フィルム状回路よりシート抵抗率が低い導電面を有する可撓性シート部材と、
導電プレートと、
軸部を有する本体部と前記軸部が係合する受部とからなる圧着具を含む圧着手段とを備え、
前記フィルム状回路は、前記電極パッドの部分に形成された開口を有し、当該電極パッドにおいて前記可撓性シート部材と面接続されるとともに、
前記フィルム状回路の開口を介して前記導電プレートが前記可撓性シート部材の導電面に面接続されたものに、前記圧着具の軸部が縦挿され、前記軸部に前記接続対象導体が巻きつけられた状態で、前記圧着手段により前記可撓性シート部材、前記導電プレートおよび前記接続対象導体が相互に圧着されたことを特徴とする
接続構造。
【請求項４】
前記圧着手段は、ハトメ、カシメおよびボルト・ナットのいずれかを含む圧着具である請求項１〜３のいずれかに記載の接続構造。
【請求項５】
前記圧着手段の外部へ露出した部分を被覆するシーリング樹脂をさらに有する請求項１〜４のいずれかに記載の接続構造。
【請求項６】
前記フィルム状回路に対して、前記可撓性シート部材の存在する面全体を被覆するラミネートフィルムをさらに備えた請求項１〜５のいずれかに記載の接続構造。
【請求項７】
請求項１〜６のいずれかに記載の接続構造を用いた大電力フィルム状回路。
【発明の詳細な説明】
【技術分野】
【０００１】
本発明は、フィルム状回路に電線（コード）等の接続対象導体を接続する接続構造およびこれを用いた大電力フィルム状回路に関する。
【背景技術】
【０００２】
従来、絶縁性フィルム上に導電インクを用いて導電パターンを印刷したフィルム状回路が知られている。一般に、導電インクを用いて印刷された導電パターンは膜厚が薄く、シート抵抗率が高くなる。このため、導電パターンの抵抗値を低下させるために幅の広いパターンを使用する必要がある。
【０００３】
このような導電性インクを用いたフィルム状回路と電線（コード）を接続する際、フィルム状回路の導電パターンに比較的広い面積の電極パッドを設けておき、この電極パッドに対して、板金端子としての金属板を面接続させ、この金属板に対して、電線を接続した丸型被覆端子を圧着接続することが行われている。この構成により、電線から丸型被覆端子を経由して金属板に電流が流れ、金属板と導電パターンが広い面積で接触することで、導電パターンと金属板の界面に局所的な過電流を防ぎつつ、フィルム状回路へ送電を行うことが可能となる。
【発明の概要】
【発明が解決しようとする課題】
【０００４】
上記の従来技術では、柔軟性は低いがシート抵抗率が低い金属板と、柔軟性は高いがシート抵抗率が高い印刷された導電パターンとを直接接続していたので、過度の発熱を低減するため両者の界面の接触面積を増やす必要性があり、結果的に金属板（板金端子）を大きくせざるを得なかった。その結果、大きな板金端子の領域でフィルム状回路の柔軟性が失われるという問題があった。
【０００５】
本出願人は、フィルム状回路として、絶縁性のフィルム上に、導電性インクを用いて、電熱線および電極パッドを導電パターンとして形成することにより、製作が容易でかつ安価な面状発熱体（薄膜ヒーター）を開発している。この面状発熱体は、その特性として、柔軟性（フレキシブル性）があり、印刷される導電パターンの幅および長さで抵抗値を変更できる利点を有する。
【０００６】
特に、図１に示したような面状発熱体について、本出願人は、絶縁性基材上で、隣接した１対の電極パッド８５の間に複数本の電熱線８７を電気的に並列接続の関係で配置する構成を採用している。その際、絶縁性基材上の要発熱領域を、入れ子状に配置された複数の分割エリアにおいて配置された各電熱線の両端が両電極パッド８５に接続されるようにしている。電線８１，８２は圧着金具８６で板金端子８３とともにフィルム状回路の電極パッド部８５に接続されている。このような大電力フィルム状回路において高電流を流した場合に板金端子８３とフィルム状回路との界面における過度の発熱を防止するために、各電熱線の横幅（蛇行幅）の総和に対して、なるべく板金端子８３の横幅（長手方向）を大きくすることが望ましいが、長尺にするほど柔軟性が失われる範囲が拡大してしまう。
【０００７】
本発明はこのような背景においてなされたものであり、その目的は、板金端子とフィルム状回路との界面における過度の発熱を防止しつつ、柔軟性の失われる範囲を小さくすることができる、フィルム状回路に接続対象導体を接続する接続構造およびこれを用いた大電力フィルム状回路を提供することにある。
【課題を解決するための手段】
【０００８】
本発明の接続構造の第１の態様は、フィルム状回路に接続対象導体を接続する接続構造であって、導電パターンおよび電極パッドを導電性インクで表面上に形成したフィルム状回路と、前記フィルム状回路よりシート抵抗率が低い導電面を有する可撓性シート部材と、導電プレートと、接続対象導体が接続される基部および接触端子部を有する対象導体接続具と、圧着手段とを備え、前記フィルム状回路は、前記電極パッドの部分に形成された開口を有し、当該電極パッドにおいて前記可撓性シート部材と面接続されるとともに、前記フィルム状回路の開口を介して前記導電プレートが前記可撓性シート部材の導電面に面接続されたものに対して、前記導電プレートの背面から前記対象導体接続具の接触端子部が重ねられ、前記可撓性シート部材、前記導電プレートおよび前記対象導体接続具が相互に前記圧着手段により圧着されたことを特徴とするものである。
【０００９】
この第１の態様では、フィルム状回路の導電パッドに対して従来のように板金端子が直接面接続されるのではなく、シート抵抗率が低い導電面を有する可撓性シート部材および導電プレートを介して、対象導体接続具が接続される。これにより、従来技術のような柔軟性の低い長尺の板金端子を用いることによる広範囲の柔軟性の欠如が防止されるとともに、局所的な過度の発熱が防止される。
【００１０】
本発明の接続構造の第２の態様は、フィルム状回路に接続対象導体を接続する接続構造であって、導電パターンおよび電極パッドを導電性インクで表面上に形成したフィルム状回路と、前記フィルム状回路よりシート抵抗率が低い導電面を有する可撓性シート部材と、接続対象導体が接続される基部および接触端子部を有する対象導体接続具と、圧着手段とを備え、前記フィルム状回路は、前記電極パッドの部分に形成された開口を有し、当該電極パッドにおいて前記可撓性シート部材と面接続されるとともに、前記フィルム状回路の開口を介して前記対象導体接続具の接触端子部が前記可撓性シート部材の導電面に面接続され、前記可撓性シート部材と前記対象導体接続具とが相互に前記圧着手段により圧着されたことを特徴とするものである。
【００１１】
この第２の態様では、フィルム状回路の導電パッドに対して従来のように板金端子が直接面接続されるのではなく、シート抵抗率が低い導電面を有する可撓性シート部材を介して、対象導体接続具が接続される。これにより、従来技術のような柔軟性の低い長尺の板金端子を用いることによる広範囲の柔軟性の欠如が防止されるとともに、局所的な過度の発熱が防止される。
【００１２】
本発明の接続構造の第３の態様は、フィルム状回路に接続対象導体を接続する接続構造であって、導電パターンおよび電極パッドを導電性インクで表面上に形成したフィルム状回路と、前記フィルム状回路よりシート抵抗率が低い導電面を有する可撓性シート部材と、導電プレートと、軸部を有する本体部と前記軸部が係合する受部とからなる圧着具を含む圧着手段とを備え、前記フィルム状回路は、前記電極パッドの部分に形成された開口を有し、当該電極パッドにおいて前記可撓性シート部材と面接続されるとともに、前記フィルム状回路の開口を介して前記導電プレートが前記可撓性シート部材の導電面に面接続されたものに、前記圧着具の軸部が縦挿され、前記軸部に前記接続対象導体が巻きつけられた状態で、前記圧着手段により前記可撓性シート部材、前記導電プレートおよび前記接続対象導体が相互に圧着されたことを特徴とするものである。
【００１３】
この第３の態様では、フィルム状回路の導電パッドに対して従来のように板金端子が直接面接続されるのではなく、シート抵抗率が低い導電面を有する可撓性シート部材および導電プレートを介して、接続対象導体が接続される。これにより、従来技術のような柔軟性の低い長尺の板金端子を用いることによる広範囲の柔軟性の欠如が防止されるとともに、局所的な過度の発熱が防止される。
【００１４】
本発明の接続構造の第４の態様は、第１から第３の態様のいずれかにおいて、前記圧着手段は、ハトメまたはカシメまたはボルト・ナットのいずれかを含む圧着具で構成されたものである。このような圧着手段により、堅固かつ確実な圧着が行われる。
【００１５】
本発明の接続構造の第５の態様は、第１から第４の態様のいずれかにおいて、前記圧着手段の外部へ露出した部分を被覆するシーリング樹脂をさらに有するようにしたものである。これにより、圧着具が導電性である場合にその保護および絶縁（感電防止）が図れる。
【００１６】
本発明の接続構造の第６の態様は、第１から第５の態様のいずれかにおいて、前記フィルム状回路に対して、前記可撓性シート部材の存在する面全体を被覆するラミネートフィルムをさらに備えたものである。これにより、フィルム回路の外部からの絶縁、防水、導電パターンの物理的保護が図れる。
【００１７】
本発明による大電力フィルム状回路は、上記第１から第７の態様による接続構造を用いたものである。
【発明の効果】
【００１８】
本発明によれば、従来技術における板金端子とフィルム状回路との界面における過度の発熱を防止しつつ、柔軟性の失われる範囲を小さくすることができる、フィルム状回路に接続対象導体を接続する接続構造およびこれを用いた大電力フィルム状回路を提供することができる。
【図面の簡単な説明】
【００１９】
【図１】本発明の課題を説明するための図である。
【図２】本発明の第1の実施形態による、フィルム状回路に接続対象導体を接続する接続構造の概略構成を説明するための分解側面図である。
【図３】本発明の実施形態における完成形の接続構造の側面断面図である。
【図４】本発明の実施形態の接続構造の応用例を示す図である。
【図５】本発明の第２の実施形態による、フィルム状回路に接続対象導体を接続する接続構造の概略構成を説明するための分解側面図である。
【図６】本発明の第２の実施形態における完成形の接続構造の側面断面図を示す図である。
【図７】本発明の第３の実施形態による、フィルム状回路に接続対象導体を接続する接続構造の概略構成を説明するための分解側面図である。
【図８】本発明の第３の実施形態における完成形の接続構造の側面断面図を示す図である。
【発明を実施するための形態】
【００２０】
以下、本発明の実施の形態について詳細に説明する。
【００２１】
（第１の実施形態）
図２に、第１の実施形態による、フィルム状回路４０に接続対象導体を接続する接続構造の概略構成を説明するための分解側面図を示す。本実施形態では接続対象導体として電線６５を例とするが、電線に限るものではない。  
【００２２】
フィルム状回路４０は、導電パターン４２および電極パッド４４を導電性インクで表面上に形成したものである。この例では、可撓性を有する絶縁性フィルム（絶縁性基材）４１の一面に、導電インクのパターンを印刷した印刷フィルムである。フィルム状回路４０には、導電パターンの一部として、接続対象導体と接続される位置に電極パッド４４が形成されている。
【００２３】
電極パッド４４は、外部の電源等につながる電線６５の端部が接続される比較的広い面積の導電領域である。この電極パッド４４の部分（その内部または隣接箇所）に開口４３が形成される。開口４３の形状は典型的には円形であるが、その形状は円形に限るものではない。また、開口４３は必ずしもその周縁が閉鎖状態にある必要はなく、開放状態であってもよい。
【００２４】
フィルム状回路４０の電極パッド４４に対向して、フィルム状回路４０の導電パターンよりシート抵抗率が低い導電面（すなわち導体層３３）を有する可撓性シート部材３０が対向配置される。この例では、可撓性の絶縁体層（例えばＰＥＴ、ポリイミド等の樹脂フィルム）３１の一面に可撓性の導体層（例えば金属箔）３３が形成された二重構造フィルムを用いている。この導体層３３は、フィルム状回路４０の導電パターン４２（電極パッド４４）よりシート抵抗率が低い「導電面」を構成する。導体層３３は、典型的には銅、アルミ等の金属箔で構成される。その製造には、電気的な膜生成、圧延等が利用できる。この可撓性シート部材３０は、その導電面である導体層３３がフィルム状回路４０の電極パッド４４に面接続（面において導電接続）されるように、フィルム状回路４０に重ね合わされる。好ましくは、電極パッド４４と可撓性シート部材３０の導体層３３は導電性接着剤または導電性両面テープで電気的および機械的に接続される。
【００２５】
可撓性シート部材３０のほぼ中央には、後述する圧着具の軸部が貫通する透孔３２が設けられている。
【００２６】
フィルム状回路４０に対して上記のように可撓性シート部材３０を重ね合わせた状態で、導電パターン４２の面側に、絶縁性フィルム４１とほぼ同形状・同サイズのラミネートフィルム２０が被着される。ラミネートフィルム２０はフィルム状回路４０の保護および外部に対する電気的絶縁のための可撓性の絶縁性シートで構成され、通常透明または半透明である。この被着の方法は、特に問わないが、例えば接着剤、または熱圧着により行うことができる。ラミネートフィルム２０には、圧着具１１の軸部が貫通する透孔２２が設けられる。透孔２２は前もって形成してもよいし、圧着具１１の軸部による穿孔によって事後的に形成してもよい。
【００２７】
フィルム状回路４０の背面（図の下側）には、その開口４３を通過可能なサイズの導電プレート５０が配置される。この導電プレート５０は典型的には金属板で構成され、そのほぼ中央には、圧着具１１の軸部が貫通する透孔５２が設けられている。金属板の材質は導電性の高いものであれば、特にその種類は問わないが、典型的には、銅、アルミ、リン青銅、等である。但し、導電プレート５０の材質は、金属に限らず、シート抵抗率の低い（高導電性の）材料であれば金属に限るものではない。最終形として、導電プレート５０は、その一面全体が、フィルム状回路４０の開口４３を介して、可撓性シート部材３０の導体層３３に面接続される。「面接続」は単に接触するだけでもよいし、導電性接着剤や導電性両面テープを介在した接続であってもよい。
【００２８】
導電プレート５０の背面（図の下側）に対象導体接続具としての裸圧着端子６０が配置される。この裸圧着端子６０は、丸型または先開形の接触端子部６３と接続対象導体としての電線６５が圧着接続される基部６４とを有する導電性の対象導体接続具である。この図では開口６２を有する丸型の裸圧着端子を示している。この接触端子部６３が導電プレート５０と面接触する。
【００２９】
これらのすべての部品を重ね合わせた状態で、圧着手段としての圧着具１１により上下方向から圧力を掛けて全体を圧着結合させる。すなわち、フィルム状回路４０の開口４３に合わせて可撓性シート部材３０の導電面（導体層３３）を対向させるとともに、フィルム状回路４０の開口４３を介して導電プレート５０が可撓性シート部材３０の導電面に面接続された接続体に対して、導電プレート５０の背面から裸圧着端子６０の接触端子部６３が重ねられ、可撓性シート部材３０、導電プレート５０および裸圧着端子６０が相互に圧着手段により圧着される。これにより、フィルム状回路４０と電線６５の堅固かつ確実な電気的・機械的な接続が実現する。
【００３０】
圧着具１１は、重ね合わせた複数の部品を互いに押圧して結合するための圧着手段の一種であり、典型的にはハトメ、カシメ、ボルト・ナット等の圧着金具である。圧着具１１は、図示の例では、本体部１１ａと受部（座金等）１１ｂとからなる両面ハトメである。本体部１１ａはその軸方向に中空であってもよい。
【００３１】
この圧着後に、圧着具１１の本体部１１ａと受部１１ｂの外部露出部分全体をシーリング樹脂７０で被覆する。これは、圧着具１１が導電性である場合に、その保護および絶縁（感電防止）のためである。圧着具１１が絶縁性の材料で形成されている場合にはシーリング樹脂７０は不要である。ただし、防水の目的のためには、圧着具１１が絶縁性の材料で形成されている場合にもシーリング樹脂７０を設けることが好ましい。
【００３２】
図３に、第１の実施形態における完成形の接続構造の側面断面図を示す。
【００３３】
なお、図２および図３において、図示の都合上、各部品の厚さは誇張して示してあり、必ずしも実際を反映させたものではない。導電プレートおよびフィルム状回路の厚さは１ｍｍ以下を想定しており、好適には、導電プレートの厚さは０．２ｍｍ程度、フィルム状回路４０の厚さは０．１ｍｍないし０．１２５ｍｍ程度である。
【００３４】
電線６５を通過する電流は、電線６５と接続された裸圧着端子６０、導電プレート５０、可撓性シート部材３０の導体層３３、フィルム状回路４０の導電パターン４２、の順に流れる（またはこの逆向きに流れる）。
【００３５】
なお、電線６５の他端が何に接続されるかは問わないが、例えば、外部の電源、コントローラ、コネクタ等（いずれも図示せず）へ接続されうる。
【００３６】
このような第１の実施形態によれば、シート抵抗率が低い（すなわち電気伝導率が高い）が柔軟性が低い導電プレート５０は、柔軟性が低くても比較的小さい面積で、可撓性シート部材３０のシート抵抗率が低い導電面（導電層３３）に面接続され、かつ、可撓性シート部材３０のシート抵抗率が低い導電面が比較的広い面積で電極パッド４４に面接続される。したがって、電極パッド４４のシート抵抗率が比較的高くても、従来の接続構造のような界面での過度の発熱を抑えつつ、かつ比較的狭い面積の導電プレート５０の使用で足りることから柔軟性を失う領域を最小限に抑えることができる接続構造が実現される。
【００３７】
（応用例）
図４に、実施形態の接続構造の応用例を示す。図４（ａ）（ｂ）（ｃ）は、本実施形態の接続構造を利用した大電力フィルム状回路の一例としての面状発熱体（薄膜ヒーター）の平面図、背面図、および一部の部品（電線６５、裸圧着端子６０、導電プレート５０）を省略した背面図である。図１で説明したと同等の面状発熱体の具体例を示している。この面状発熱体は、絶縁性フィルム（絶縁性基材）７９上で、第１の電極パッド７１および第２の電極パッド７３（いずれも電極パッド４４に対応）の間に複数本の電熱線７２を電気的に並列接続の関係で配置する構成を採用している。
【００３８】
このように、電熱線を細い並列パスで実現するとともに、各電熱線の長さを均一化することにより、発熱分布を均一に保ちつつ電熱線全体のトータルの抵抗値を下げることが可能となる。また、１対の電極を隣接配置する場合にも、比較的簡単な構成で、要発熱領域の全体に亘ってほぼ均一な発熱分布を得ることができるようにするものである。
【００３９】
すなわち、１対の電極パッド７１，７３を隣接配置することに伴って、複数本の電熱線７２は入れ子状の複数の分割エリア内に配置される。この入れ子の内側の電熱線ほどその蛇行幅（図では矩形波の振幅）が大きくなるようにすることで、各電熱線の長さを均一化することができる。
【００４０】
より具体的には、ＰＥＴやポリイミドのような絶縁性フィルム７９に電熱線７２としての導電パターンを形成したものがフィルム状回路に相当する。その際、絶縁性基材７９上の要発熱領域を、入れ子状に配置されたＫ個（Ｋは２以上の整数、この例ではＫ＝１０）のエリアに分割し、入れ子の外側の分割エリアは内側の分割エリアを取り囲むように設定され、各分割エリアにおいて配置された各電熱線の両端がそれぞれ第１および第２の電極パッド７１，７３に接続されるようにしている。
【００４１】
第１および第２の電極パッド７１，７３はそれぞれＫ本の電熱線７２の配置幅に対応する長手方向のサイズを有する。図４では黒色の矩形領域で示してある。両電極パッド７１，７３の接続構造は同じなので、以下では電極パッド７１について説明する。
【００４２】
フィルム状回路４０の表面（電熱線および電極パッドのある面）に、可撓性シート部材３０がその導体層３３を電極パッド７１に向けて面接続される。可撓性シート部材３０の上からラミネートフィルム２０が被着される。図４（ａ）に示した構成では最上層に位置するが、ラミネートフィルム２０は透明の材質を想定しているので、図４（ａ）では見えない。可撓性シート部材３０は図では灰色の矩形領域で示し、電極パッド７１とほぼ同等のサイズを有するものとして示してある。図４（ｃ）に表れるように、フィルム状回路の電極パッド７１の端子位置には、導電プレート５０のサイズより大きい開口４３が設けられている。図４（ｃ）では開口４３から可撓性シート部材３０の導電層３３が見えている。組み立て時には、この開口４３に対して、導電プレート５０および（電線６５を接続した）裸圧着端子６０が位置合わせされ、ラミネートフィルム２０から裸圧着端子６０までの全部品が圧着具１１（１１ａ，１１ｂ）で圧着される。図４においてシーリング樹脂７０は図示省略してある。
【００４３】
このような構成により、シート抵抗率が低い（すなわち電気伝導率が高い）が柔軟性が低い導電プレート５０は、柔軟性が低くても比較的小さい面積で、可撓性シート部材３０のシート抵抗率が低い導電面（導電層３３）に面接続され、かつ、可撓性シート部材３０のシート抵抗率が低い導電面が比較的広い面積で電極パッド７１に面接続される。したがって、電極パッド７１のシート抵抗率が比較的高くても、従来の接続構造のような界面での過度の発熱を抑えつつ、かつ比較的狭い面積の導電プレート５０の使用で足りることから柔軟性を失う領域を最小限に抑えることができる接続構造が実現される。
【００４４】
また、このように絶縁性基材（絶縁性のフィルム）７９上に、銀インクなどの導電性インクを用いて、電熱線および電極パッドを導電パターンとして印刷することにより、製作が容易でかつ安価な面状発熱体が提供される。この面状発熱体は、その特性として、フレキシブル性があり、印刷される導電パターンの幅および長さで抵抗値を変更できる利点を有する。このような面状発熱体は、産業用、業務用、家庭用に種々の用途に利用されることが期待される。
【００４５】
また、ヒーター以外の大電力フィルム状回路の用途例としては、太陽光発電パネルの送電用電線や従来の商用電源の電気コードの代替(壁裏に埋め込む等)が考えられる。
【００４６】
（第２の実施形態）
図５に、本発明の第２の実施形態による、フィルム状回路４０に接続対象導体を接続する接続構造の概略構成を説明するための分解側面図を示す。本実施形態では接続対象導体として電線６５を例とするが、電線に限るものではない。
【００４７】
第１の実施形態と同様の要素には同じ参照符号を付して、重複した説明は省略する。第２の実施形態が第１の実施形態と異なる点は、第１の実施形態の接続構造における導電プレート５０を省略したことである。すなわち、高導電性の裸圧着端子６０の例えば丸型の接触端子部６３が直接、可撓性シート部材３０の導体層３３に面接触して十分な電気的接続ができれば、導電プレート５０はなくてもよい。フィルム状回路４０の開口４３は必要に応じて拡大等、修正を行う。
【００４８】
図６に、本実施形態における完成形の接続構造の側面断面図を示す。この図から分るように、裸圧着端子６０は開口４３を介して可撓性シート部材３０の導体層３３に直接面接触した状態で圧着される。
【００４９】
電線６５を通過する電流は、電線６５と接続された裸圧着端子６０、可撓性シート部材３０の導体層３３、フィルム状回路４０の導電パターン４２、の順に流れる（またはこの逆の向きに流れる）。
【００５０】
なお、図５および図６において、図示の都合上、各部品の厚さは誇張して示してあり、必ずしも実際を反映させたものではない。応用例については第１の実施形態と同様、図４に示した大電力フィルム状回路等に応用可能である。
【００５１】
このような第２の実施形態によれば、シート抵抗率が低い（すなわち電気伝導率が高い）が柔軟性が低い裸圧着端子６０は、柔軟性が低くても比較的小さい面積で、可撓性シート部材３０のシート抵抗率が低い導電面（導電層３３）に面接続され、かつ、可撓性シート部材３０のシート抵抗率が低い導電面が比較的広い面積で電極パッド４４に面接続される。したがって、電極パッド４４のシート抵抗率が比較的高くても、従来の接続構造のような界面での過度の発熱を抑えつつ、かつ比較的狭い面積の裸圧着端子６０の使用で足りることから柔軟性を失う領域を最小限に抑えることができる接続構造が実現される。
【００５２】
（第３の実施形態）
図７に、本発明の第３の実施形態による、フィルム状回路４０に接続対象導体を接続する接続構造の概略構成を説明するための分解側面図を示す。本実施形態では接続対象導体として電線６５を例とするが、電線に限るものではない。
【００５３】
第１の実施形態と同様の要素には同じ参照符号を付して、重複した説明は省略する。第３の実施形態が第１の実施形態と異なる点は、第１の実施形態の接続構造における裸圧着端子６０を省略したことである。すなわち、接続対象導体としての電線６５の銅線６６を圧着具１１の本体部１１ａの軸部に巻きつける形で、銅線６６を導電プレート５０の背面に接触させる。
【００５４】
図８に、本実施形態における完成形の接続構造の側面断面図を示す。この図から分るように、電線６５の銅線６６は導電プレート５０の背面に直接面接触した状態で、圧着される。電線６５を通過する電流は、導電プレート５０、可撓性シート部材３０の導体層３３、フィルム状回路４０の導電パターン４２、の順に流れる（またはこの逆向きに流れる）。
【００５５】
なお、図７および図８において、図示の都合上、各部品の厚さは誇張して示してあり、必ずしも実際を反映させたものではない。応用例については第１の実施形態と同様、図４に示した大電力フィルム状回路等に応用可能である。
【００５６】
このような第３の実施形態によれば、シート抵抗率が低い（すなわち電気伝導率が高い）が柔軟性が低い導電プレート３０は、柔軟性が低くても比較的小さい面積で、可撓性シート部材３０のシート抵抗率が低い導電面（導電層３３）に面接続され、かつ、可撓性シート部材３０のシート抵抗率が低い導電面が比較的広い面積で電極パッド４４に面接続される。したがって、電極パッド４４のシート抵抗率が比較的高くても、従来の接続構造のような界面での過度の発熱を抑えつつ、かつ比較的狭い面積の導電プレート５０の使用で足りることから柔軟性を失う領域を最小限に抑えることができる接続構造が実現される。
【００５７】
（変形例）
以上、本発明の好適な実施の形態について説明したが、本発明は上記の構成以外にも種々の変形、変更を行うことができる。
【００５８】
例えば、可撓性シート部材３０は、可撓性の絶縁体層（例えば樹脂フィルム）３１の一面に導体層（例えば金属箔）３３が形成された二重構造フィルムとしたが、低シート抵抗の可撓性の金属箔単独であってもよい。但し、二層構造フィルムの方が、現状市販されている金属箔に比べて、コシの強さ、しわが発生しにくさの点で有利である。
【００５９】
ラミネートフィルム２０は、上述したように、絶縁、防水、導電パターンの物理的保護のためには実際上必要となる要素であるが、機能的には本発明の接続構造に必須の要素ではない。
【００６０】
シーリング樹脂７０も同様に実際上必要となる要素であるが、機能的には本発明の接続構造に必須の要素ではない。
【００６１】
電線はワイヤーに限るものではなくフレキシブルケーブルのようなものであってもよい。
【符号の説明】
【００６２】
１１：圧着具
１１ａ：本体部
１１ｂ：受部
２０：ラミネートフィルム
２２：透孔
３０：可撓性シート部材
３１：可撓性の絶縁体層（樹脂フィルム）
３２：透孔
３３：導体層
４０：フィルム状回路（印刷フィルム）
４１：絶縁性フィルム
４２：導電パターン
４３：開口
４４：電極パッド
５０：導電プレート
５２：透孔
６０：裸圧着端子（対象導体接続具）
６２：開口
６３：接触端子部
６４：基部
６５：電線
６６：銅線
７０：シーリング樹脂
７１：電極パッド
７２：電熱線
７３：電極パッド
７９：絶縁性基材（絶縁性のフィルム）
【図１】
0006667778.tif 000002
【図２】
0006667778.tif 000003
【図３】
0006667778.tif 000004
【図４】
0006667778.tif 000005
【図５】
0006667778.tif 000006
【図６】
0006667778.tif 000007
【図７】
0006667778.tif 000008
【図８】
0006667778.tif 000009